(57)【特許請求の範囲】
【請求項１】
ユーザ機器（ＵＥ）によるワイヤレス通信のための方法であって、
前記ＵＥとの多地点協調（ＣｏＭＰ）動作に参加している複数のノードから、セル固有サウンディング基準信号（ＳＲＳ）構成を示すシグナリングを受信することと、
少なくとも部分的に前記シグナリングに基づいて、サブフレームの少なくとも１つの最後のシンボルが、前記ＵＥからアップリンクチャネルのうちの１つまたは複数を送信するために利用可能であるかどうかを決定することと、ここにおいて、前記セル固有ＳＲＳ構成が少なくとも２つの構成を含み、前記少なくとも２つの構成が時間的にオーバーラップしない場合、前記決定することは、前記サブフレームに対応するセル固有ＳＲＳ構成のセットに少なくとも基づき、前記少なくとも２つの構成が時間的にオーバーラップする場合、前記決定することは、前記サブフレームにおける使用についての優先度に基づいて選定された前記少なくとも２つの構成のうちの１つに少なくとも基づく、
を備える、方法。
【請求項２】
前記シグナリングがＵＥ固有シグナリングを含む、請求項１に記載の方法。
【請求項３】
前記セル固有ＳＲＳ構成が、アップリンク送信のために定義された仮想セル識別情報に基づいて導出される、請求項１に記載の方法。
【請求項４】
前記少なくとも２つの構成のうちの前記１つが、より小さい仮想セル識別情報をもつ構成、より大きいセル固有サウンディング基準信号（ＳＲＳ）サブフレーム周期性をもつ構成、より大きいセル固有ＳＲＳ帯域幅をもつ構成、または前記選定された構成に関連するアップリンクチャネルのうちの少なくとも１つに基づいて選定される、請求項１に記載の方法。
【請求項５】
ユーザ機器（ＵＥ）によるワイヤレス通信のための装置であって、
前記ＵＥとの多地点協調（ＣｏＭＰ）動作に参加している複数のノードから、セル固有サウンディング基準信号（ＳＲＳ）構成を示すシグナリングを受信するための手段と、
少なくとも部分的に前記シグナリングに基づいて、サブフレームの少なくとも１つの最後のシンボルが前記ＵＥからアップリンクチャネルのうちの１つまたは複数を送信するために利用可能であるかどうかを決定するための手段と、ここにおいて、前記セル固有ＳＲＳ構成が少なくとも２つの構成を含み、前記少なくとも２つの構成が時間的にオーバーラップしない場合、前記決定することは、前記サブフレームに対応するセル固有ＳＲＳ構成のセットに少なくとも基づき、前記少なくとも２つの構成が時間的にオーバーラップする場合、前記決定することは、前記サブフレームにおける使用についての優先度に基づいて選定された前記少なくとも２つの構成のうちの１つに少なくとも基づく、
を備える、装置。
【請求項６】
前記シグナリングがＵＥ固有シグナリングを含む、請求項５に記載の装置。
【請求項７】
前記セル固有ＳＲＳ構成が、アップリンク送信のために定義された仮想セル識別情報に基づいて導出される、請求項５に記載の装置。
【請求項８】
前記少なくとも２つの構成のうちの前記１つが、より小さい仮想セル識別情報をもつ構成、より大きいセル固有サウンディング基準信号（ＳＲＳ）サブフレーム周期性をもつ構成、より大きいセル固有ＳＲＳ帯域幅をもつ構成、または前記選定された構成に関連するアップリンクチャネルのうちの少なくとも１つに基づいて選定される、請求項５に記載の装置。
【請求項９】
ユーザ機器（ＵＥ）によるワイヤレス通信のための装置であって、
前記ＵＥとの多地点協調（ＣｏＭＰ）動作に参加している複数のノードから、セル固有サウンディング基準信号（ＳＲＳ）構成を示すシグナリングを受信することと、
少なくとも部分的に前記シグナリングに基づいて、サブフレームの少なくとも１つの最後のシンボルが前記ＵＥからアップリンクチャネルのうちの１つまたは複数を送信するために利用可能であるかどうかを決定することと、ここにおいて、前記セル固有ＳＲＳ構成が少なくとも２つの構成を含み、前記少なくとも２つの構成が時間的にオーバーラップしない場合、前記決定することは、前記サブフレームに対応するセル固有ＳＲＳ構成のセットに少なくとも基づき、前記少なくとも２つの構成が時間的にオーバーラップする場合、前記決定することは、前記サブフレームにおける使用についての優先度に基づいて選定された前記少なくとも２つの構成のうちの１つに少なくとも基づく、
を行うように構成された少なくとも１つのプロセッサと、
前記少なくとも１つのプロセッサに結合されたメモリと
を備える、装置。
【請求項１０】
ユーザ機器（ＵＥ）によるワイヤレス通信のためのコンピュータ可読記憶媒体であって、
前記ＵＥとの多地点協調（ＣｏＭＰ）動作に参加している複数のノードから、セル固有サウンディング基準信号（ＳＲＳ）構成を示すシグナリングを受信することと、
少なくとも部分的に前記シグナリングに基づいて、サブフレームの少なくとも１つの最後のシンボルが前記ＵＥからアップリンクチャネルのうちの１つまたは複数を送信するために利用可能であるかどうかを決定することと、ここにおいて、前記セル固有ＳＲＳ構成が少なくとも２つの構成を含み、前記少なくとも２つの構成が時間的にオーバーラップしない場合、前記決定することは、前記サブフレームに対応するセル固有ＳＲＳ構成のセットに少なくとも基づき、前記少なくとも２つの構成が時間的にオーバーラップする場合、前記決定することは、前記サブフレームにおける使用についての優先度に基づいて選定された前記少なくとも２つの構成のうちの１つに少なくとも基づく、
をコンピュータに実行させるためのコードを備える、コンピュータ可読記憶媒体。
【発明の詳細な説明】
【技術分野】
【０００１】
関連出願の相互参照
[0001]本出願は、その全体が参照により本明細書に明確に組み込まれる、２０１２年５月１０日に出願された米国仮特許出願第６１／６４５，３８５号の利益を主張する。
【０００２】
[0002]本開示は、一般に通信システムに関し、より詳細には、マルチプルなチャネルおよび干渉の仮定の下で多地点協調（ＣｏＭＰ：coordinated multipoint）チャネル状態情報（ＣＳＩ：channel state information）フィードバックを実行するためのシステムおよび方法に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによってマルチプルなユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要となる。好ましくは、これらの改善は、他の多元接続技術と、これらの技術を採用する電気通信規格とに適用可能であるべきである。
【発明の概要】
【０００５】
[0005]本開示のいくつかの態様は、ユーザ機器（ＵＥ）によるワイヤレス通信のための方法を提供する。該方法は、概して、ＵＥを用いた多地点協調（ＣｏＭＰ）動作に参加している１つまたは複数のノードから、セル固有サウンディング基準信号（ＳＲＳ：sounding reference signal）構成またはアップリンクチャネルのためのフォーマットのうちの少なくとも１つを示すシグナリングを受信することと、少なくとも部分的にシグナリングに基づいて、サブフレームの少なくとも１つの最後のシンボルがＵＥからアップリンクチャネルのうちの１つまたは複数を送信するために利用可能であるかどうかを決定することとを含む。
【０００６】
[0006]本開示のいくつかの態様は、ユーザ機器（ＵＥ）によるワイヤレス通信のための装置を提供する。該装置は、概して、ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信するための手段と、少なくとも部分的にシグナリングに基づいて、サブフレームの少なくとも１つの最後のシンボルがＵＥからアップリンクチャネルのうちの１つまたは複数を送信するために利用可能であるかどうかを決定するための手段とを含む。
【０００７】
[0007]本開示のいくつかの態様は、ユーザ機器（ＵＥ）によるワイヤレス通信のための装置を提供する。該装置は、概して、少なくとも１つのプロセッサと、少なくとも１つのプロセッサに結合されたメモリとを含む。少なくとも１つのプロセッサは、概して、ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信することと、少なくとも部分的にシグナリングに基づいて、サブフレームの少なくとも１つの最後のシンボルがＵＥからアップリンクチャネルのうちの１つまたは複数を送信するために利用可能であるかどうかを決定することとを行うように構成される。
【０００８】
[0008]本開示のいくつかの態様は、ユーザ機器（ＵＥ）によるワイヤレス通信のためのコンピュータプログラム製品を提供する。該コンピュータプログラム製品は、概して、ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信することと、少なくとも部分的にシグナリングに基づいて、サブフレームの少なくとも１つの最後のシンボルがＵＥからアップリンクチャネルのうちの１つまたは複数を送信するために利用可能であるかどうかを決定することとを行うためのコードを有するコンピュータ可読媒体を含む。
【０００９】
[0009]本開示のいくつかの態様は、ＵＥを用いたＣｏＭＰ動作に他のノードとともに参加しているノードによるワイヤレス通信のための方法を提供する。該方法は、概して、セル固有ＳＲＳ構成またはアップリンクチャネルのためのフォーマットのうちの少なくとも１つを示すシグナリングをＵＥに送信することと、少なくともシグナリングに基づいて、ＵＥを用いたＣｏＭＰ動作に参加することとを含む。
【００１０】
[0010]本開示のいくつかの態様は、ＵＥを用いたＣｏＭＰ動作に他のノードとともに参加しているノードによるワイヤレス通信のための装置を提供する。該装置は、概して、セル固有サウンディング基準信号（ＳＲＳ）構成またはアップリンクチャネルのためのフォーマットのうちの少なくとも１つを示すシグナリングをＵＥに送信するための手段と、少なくともシグナリングに基づいて、ＵＥを用いたＣｏＭＰ動作に参加するための手段とを含む。
【００１１】
[0011]本開示のいくつかの態様は、ＵＥを用いたＣｏＭＰ動作に他のノードとともに参加しているノードによるワイヤレス通信のための装置を提供する。該装置は、概して、少なくとも１つのプロセッサと、少なくとも１つのプロセッサに結合されたメモリとを含む。少なくとも１つのプロセッサは、概して、セル固有サウンディング基準信号（ＳＲＳ）構成またはアップリンクチャネルのためのフォーマットのうちの少なくとも１つを示すシグナリングをＵＥに送信することと、少なくともシグナリングに基づいて、ＵＥを用いたＣｏＭＰ動作に参加することとを行うように構成される。
【００１２】
[0012]本開示のいくつかの態様は、ＵＥを用いたＣｏＭＰ動作に他のノードとともに参加しているノードによるワイヤレス通信のためのコンピュータプログラム製品を提供する。該コンピュータプログラム製品は、概して、セル固有サウンディング基準信号（ＳＲＳ）構成またはアップリンクチャネルのためのフォーマットのうちの少なくとも１つを示すシグナリングをＵＥに送信することと、少なくともシグナリングに基づいて、ＵＥを用いたＣｏＭＰ動作に参加することとを行うためのコードを有するコンピュータ可読媒体を含む。
【図面の簡単な説明】
【００１３】
【図１】[0013]ネットワークアーキテクチャの一例を示す図。
【図２】[0014]アクセスネットワークの一例を示す図。
【図３】[0015]アクセスネットワーク中で使用するフレーム構造の一例を示す図。
【図４】[0016]ＬＴＥにおけるＵＬのための例示的なフォーマットを示す図。
【図５】[0017]ユーザプレーンおよび制御プレーンのための無線プロトコルアーキテクチャの一例を示す図。
【図６】[0018]アクセスネットワーク中の発展型ノードＢおよびユーザ機器の一例を示す図。
【図７】[0019]異種ネットワーク中の範囲拡大セルラー領域を示す図。
【図８】[0020]アクセスネットワーク中の例示的なマクロｅＮＢ／ＲＲＨ  ＣｏＭＰ構成を示す図。
【図９】[0021]アクセスネットワーク中の別の例示的なマクロｅＮＢ／ＲＲＨ  ＣｏＭＰ構成を示す図。
【図１０】[0022]本開示のいくつかの態様による、たとえばＵＥによって実行され得る例示的な動作を示す図。
【図１１】[0023]本開示のいくつかの態様による、たとえば、ＵＥを用いたＣｏＭＰ動作に他のノードとともに参加しているノードなどの基地局によって実行され得る例示的な動作を示す図。
【詳細な説明】
【００１４】
[0024]添付の図面に関して以下に示す詳細な説明は、様々な構成を説明することを目的としたものであり、本明細書で説明する概念が実施され得る唯一の構成を表すことを意図したものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0025]次に、様々な装置および方法に関して電気通信システムのいくつかの態様を提示する。これらの装置および方法について、以下の詳細な説明において説明し、（「要素」と総称される）様々なブロック、モジュール、コンポーネント、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１６】
[0026]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0027]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００１８】
[0028]図１は、例示的なＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
[0029]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能のデバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0030]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通じて転送され、サービングゲートウェイ１１６自体はＰＤＮゲートウェイ１１８に接続される。ＰＤＮゲートウェイ１１８はＵＥのＩＰアドレス割当てならびに他の機能を与える。ＰＤＮゲートウェイ１１８は事業者のＩＰサービス１２２に接続される。事業者のＩＰサービス１２２は、インターネット、イントラネット、ＩＰマルチメディアサブシステム（ＩＭＳ：IP Multimedia Subsystem）、およびＰＳストリーミングサービス（ＰＳＳ：PS Streaming Service）を含み得る。
【００２１】
[0031]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数とオーバーラップするセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関連機能を担う。
【００２２】
[0032]アクセスネットワーク２００によって採用される変調および多元接続方式は、展開されている特定の電気通信規格に応じて異なり得る。ＬＴＥアプリケーションでは、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者であれば以下の詳細な説明から容易に諒解するように、本明細書で提示する様々な概念は、ＬＴＥアプリケーションに好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
[0033]ｅＮＢ２０４は、ＭＩＭＯ技術をサポートするマルチプルなアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるためにマルチプルなＵＥ２０６に送信され得る。これは、各データストリームを空間的にプリコードし（すなわち、振幅および位相のスケーリングを適用し）、次いでＤＬ上でマルチプルな送信アンテナを通して空間的にプリコードされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２４】
[0034]空間多重化は、概して、チャネル状態が良好であるときに使用される。チャネル状態があまり良好でないときには、送信エネルギーを１つまたは複数の方向に集中させるためにビームフォーミングが使用され得る。これは、マルチプルなアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２５】
[0035]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを通してデータを変調するスペクトル拡散技法である。サブキャリアは、精密な周波数で離間される。離間は、受信機がサブキャリアからデータを復元することを可能にする「直交性（orthogonality）」を与える。時間領域では、ＯＦＤＭシンボル間干渉に対処するために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形で使用し得る。
【００２６】
[0036]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。リソースグリッドが、２つのタイムスロットを表すために使用され得、各タイムスロットはリソースブロックを含む。リソースグリッドはマルチプルなリソース要素に分割される。ＬＴＥでは、リソースブロックは、周波数領域中に１２個の連続サブキャリアを含み、各ＯＦＤＭシンボル中のノーマルサイクリックプレフィックスについて、時間領域中に７個の連続ＯＦＤＭシンボル、または８４個のリソース要素を含んでいる。Ｒ３０２、３０４として示されるリソース要素のうちの一部のものは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がそれに対してマッピングされるリソースブロック上でのみ送信される。各リソース要素によって搬送されるビット数は変調方式に依存する。したがって、ＵＥが受信するリソースブロックが多いほど、また変調方式が高いほど、ＵＥに関するデータレートは高くなる。
【００２７】
[0037]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジのところに形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る、連続サブキャリアを含むデータセクションをもたらす。
【００２８】
[0038]ＵＥには、ｅＮＢに制御情報を送信するために、制御セクションにおいてリソースブロック４１０ａ、４１０ｂが割り当てられ得る。ＵＥには、ｅＮＢにデータを送信するために、データセクションにおいてリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２９】
[0039]初期システムアクセスを実行し、物理ランダムアクセスチャネル（ＰＲＡＣＨ：physical random access channel）４３０においてＵＬ同期を達成するために、リソースブロックのセットが使用され得る。ＰＲＡＣＨ４３０は、ランダムシーケンスを搬送し、いかなるＵＬデータ／シグナリングも搬送しない。各ランダムアクセスプリアンブルは、６つの連続するリソースブロックに対応する帯域幅を占有する。開始周波数はネットワークによって指定される。すなわち、ランダムアクセスプリアンブルの送信は、ある特定の時間リソースおよび周波数リソースに制限される。ＰＲＡＣＨには周波数ホッピングはない。ＰＲＡＣＨ試行は単一のサブフレーム（１ｍｓ）中でまたは少数の連続サブフレームのシーケンス中で搬送され、ＵＥは、フレーム（１０ｍｓ）ごとに単一のＰＲＡＣＨ試行だけを行うことができる。
【００３０】
[0040]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、レイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を通じたＵＥとｅＮＢとの間のリンクを担う。
【００３１】
[0041]ユーザプレーンでは、Ｌ２レイヤ５０８は、ネットワーク側のｅＮＢのところで終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８のところで終端されるネットワークレイヤ（たとえば、ＩＰレイヤ）と、接続の他端（たとえば、ファーエンドＵＥ、サーバなど）のところで終端されるアプリケーションレイヤとを含む、Ｌ２レイヤ５０８の上のいくつかの上位レイヤを有し得る。
【００３２】
[0042]ＰＤＣＰサブレイヤ５１４は、異なる無線ベアラと論理チャネルとの間の多重化を提供する。ＰＤＣＰサブレイヤ５１４はまた、無線送信オーバーヘッドを低減するために上位レイヤデータパケットのためのヘッダ圧縮と、データパケットを暗号化することによるセキュリティと、ｅＮＢ間のＵＥのためのハンドオーバサポートとを提供する。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）に起因する、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り当てることを担う。ＭＡＣサブレイヤ５１０はまたＨＡＲＱ動作を担う。
【００３３】
[0043]制御プレーンでは、ＵＥおよびｅＮＢのための無線プロトコルアーキテクチャは、制御プレーンについてヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を得ることと、ｅＮＢとＵＥとの間のＲＲＣシグナリングを使用して下位レイヤを構成することとを担う。
【００３４】
[0044]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割当てとを提供する。コントローラ／プロセッサ６７５はまた、ＨＡＲＱ動作、紛失パケットの再送信、およびＵＥ６５０へのシグナリングも担う。
【００３５】
[0045]ＴＸプロセッサ６１６は、Ｌ１レイヤ（すなわち、物理レイヤ）のための様々な信号処理機能を実装する。信号処理機能には、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを容易にするために、コーディングおよびインターリービングが含まれる。次いで、コーディングされ変調されたシンボルは並列ストリームに分割される。各ストリームは、次いで、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して１つに合成されて、時間領域ＯＦＤＭシンボルストリームを搬送する物理チャネルが生成される。ＯＦＤＭストリームは、マルチプルな空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３６】
[0046]ＵＥ６５０において、各受信機６５４ＲＸは、そのそれぞれのアンテナ６５２を通じて信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。マルチプルな空間ストリームがＵＥ６５０に宛てられた場合、それらはＲＸプロセッサ６５６によって単一のＯＦＤＭシンボルストリームへと合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅＮＢ６１０によって送信される、可能性が最も高い信号コンスタレーションポイントを決定することによって、復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３７】
[0047]コントローラ／プロセッサ６５９は、Ｌ２レイヤを実装する。コントローラ／プロセッサは、プログラムコードおよびデータを記憶するメモリ６６０に関連付けられ得る。メモリ６６０は、コンピュータ可読媒体と呼ばれることがある。ＵＬでは、コントロール／プロセッサ６５９は、コアネットワークからの上位レイヤパケットを復元するために、トランスポートチャネルと論理チャネルとの間での多重分離、パケットリアセンブリ、暗号解読（deciphering）、ヘッダの展開（decompression）、制御信号処理を提供する。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３８】
[0048]ＵＬでは、データソース６６７が、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮、暗号化、パケットのセグメント化および並べ替え、ｅＮＢ６１０による無線リソース割当てに基づいた論理チャネルとトランスポートチャネルとの間の多重化を提供することによって、ユーザプレーンおよび制御プレーンについてＬ２レイヤを実装する。コントローラ／プロセッサ６５９はまた、ＨＡＲＱ動作、紛失パケットの再送信、およびｅＮＢ６１０へのシグナリングを担う。
【００３９】
[0049]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４０】
[0050]ＵＬ送信は、ＵＥ６５０における受信機機能に関して説明した方法と同様の方法でｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００４１】
[0051]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離、パケットリアセンブリ、暗号解読、ヘッダの展開、および制御信号処理を提供する。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００４２】
[0052]図７は、異種ネットワーク中の範囲拡大セルラー領域（range expanded cellular region）を示す図７００である。ＲＲＨ７１０ｂなどのより低い電力クラスのｅＮＢは、ＲＲＨ７１０ｂとマクロｅＮＢ７１０ａとの間の拡張セル間干渉協調（enhanced inter-cell interference coordination）と、ＵＥ７２０によって実行される干渉除去とを通して、セルラー領域７０２から拡大された範囲拡大セルラー領域７０３を有し得る。拡張セル間干渉協調において、ＲＲＨ７１０ｂは、マクロｅＮＢ７１０ａから、ＵＥ７２０の干渉状態に関する情報を受信する。この情報により、ＲＲＨ７１０ｂは、範囲拡大セルラー領域７０３においてＵＥ７２０をサービスし、ＵＥ７２０が範囲拡大セルラー領域７０３に入るときに、マクロｅＮＢ７１０ａからのＵＥ７２０のハンドオフを受け入れることができる。
【００４３】
[0053]図８は、アクセスネットワーク８００中の例示的なマクロｅＮＢおよびＲＲＨ構成を示す図である。アクセスネットワーク８００は、ＣｏＭＰ送信ポイントのマルチプルなクラスタ８０１を含み得る。ＣｏＭＰクラスタ８０１は、１つまたは複数のマクロｅＮＢ８０２と、１つまたは複数のＲＲＨ８０４とを含み得る。本明細書で使用するとき、エンティティ８０４が低減された送信電力で動作する場合、ＣｏＭＰクラスタは、異種として参照され得、エンティティ８０４が別のマクロｅＮＢと同じ送信電力で送信する場合、ＣｏＭＰクラスタは、同種として参照され得る。同種展開と異種展開の両方について、１つまたは複数のＲＲＨ８０４があり得る。一態様では、マクロｅＮＢ８０２およびＲＲＨ８０４は、ファイバーケーブル８０３、Ｘ２バックホール８０７などを介して８０６接続され得る。概して、ＵＥ８１２はアクセスネットワーク８００からサービスを受信し得る。一態様では、ＣＲＳパターンはＣｏＭＰクラスタ８０１にわたって共通であり、たとえば、マクロｅＮＢ８０２およびＲＲＨ８０４は共通ＣＲＳパターンを使用して送信し得る。さらに、アクセスネットワーク８００は、１つまたは複数のマクロｅＮＢ／ＲＲＨ８０６を含む１つまたは複数の他のＣｏＭＰクラスタ８０５を含み得る。動作時には、別のＣｏＭＰクラスタ８０５からの干渉８１６に関連する情報を含むＣＳＩフィードバックが、マクロｅＮＢ８０２および／またはＲＲＨ８０４と通信しているＵＥ８１２を支援するために取得され得る。
【００４４】
[0054]一態様では、ＵＥ８１２は、ＣｏＭＰクラスタ８０１を用いた通信のためにワイヤレスプロトコルを使用することが可能であり得る。そのような通信プロトコルは、限定はしないが、ＬＴＥリリース８、ＬＴＥリリース９、ＬＴＥリリース１０、ＬＴＥリリース１１などを含み得る。ＵＥ８１２にサービスを与えるために、チャネル推定パラメータが、ＵＥ８１２とマクロｅＮＢ８０２との間で潜在的に使用されるチャネル８１４について、および／またはＵＥ８１２とＲＲＨ８０４との間のチャネル８１８について取得され得、干渉推定パラメータが、干渉８１６を測定するために取得され得る。一態様では、干渉８１６は、他のＲＲＨ８０４、マクロｅＮＢ８０２、および／または他のＣｏＭＰクラスタ８０５から潜在的に発生し得る。ＵＥがチャネル推定および干渉推定を実行できるように、様々なリソースパターングループ（たとえば、ＣｏＭＰクラスタ）についてリソース要素パターンを構成するための様々な方式を、次に提示する。
【００４５】
[0055]図９は、ＵＥ９０６が複数の可能なサービング送信ポイント（９０２、９０４）と通信し得る、例示的なアクセスネットワーク９００を示す図である。一態様では、送信ポイント（ＴＰ９０２、９０４）は、ＣｏＭＰクラスタとして動作するように協調され得る。アクセスネットワーク９００は、協調スケジューリングおよび／または協調ビームフォーミング、動的ポイント選択（ＤＰＳ：dynamic point selection）、コヒーレントおよび／または非コヒーレントジョイント送信（ＪＴ）などを含む、マルチプルなＣｏＭＰ方式のためのサポートを含み得る。さらに、アクセスネットワーク９００は、同種および／または異種ＣｏＭＰクラスタ動作のためのサポートを提供し得る。
【００４６】
ＣｏＭＰのためのアップリンクチャネルとのＳＲＳのインタラクション  
[0056]いくつかの態様によれば、ＵＥ９０６は、ＴＰ９０２／ＴＰ９０４のうちの１つまたは複数から、セル固有サウンディング基準信号（ＳＲＳ）構成またはアップリンクチャネルのためのフォーマットのうちの少なくとも１つを示すシグナリングを受信して、そのシグナリングに少なくとも部分的に基づいて、サブフレームの少なくとも１つの最後のシンボルがＵＥからアップリンクチャネルのうちの１つまたは複数を送信するために利用可能であるかどうかを決定するように構成され得る。
【００４７】
[0057]ＬＴＥ  Ｒｅｌ−１１でのＣｏＭＰ動作は、概して、協調スケジューリング／協調ビームフォーミング（ＣＳ／ＣＢ）、動的ポイント選択（ＤＰＳ）、およびジョイント送信（ＪＴ）（たとえば、コヒーレントまたは非コヒーレント）を含む。ＣｏＭＰ動作は、様々な展開シナリオ（すなわち、同種シナリオまたは異種シナリオ）においてサポートされ得る。同種シナリオの例としては、同じマクロサイトのセルにわたるＣｏＭＰ動作と、近隣マクロサイトにわたるＣｏＭＰ動作とがある。異種シナリオの例としては、マクロセルと関連するピコセル（たとえば、リモートラジオヘッド（ＲＲＨ））とにわたるＣｏＭＰ動作がある。マクロセルとＲＲＨとは、異なるセルＩＤまたは同じセルＩＤで構成され得る。
【００４８】
[0058]上記で説明したように、ＳＲＳは、少なくとも、ＵＬリンク適応、（特にＴＤＤシステムの場合）チャネル相反性の下でのＤＬスケジューリング、およびＣｏＭＰ動作のために必要である。ＳＲＳ構成は、概して、セル固有構成とＵＥ固有構成とを含む。セル固有ＳＲＳ構成は、概して、（たとえば、あらゆるＵＬサブフレームまで）セル中の１つまたは複数のＵＥからの潜在的ＳＲＳ送信のために予約されたセル固有ＳＲＳ帯域幅およびＳＲＳサブフレームなどのセル固有ＳＲＳパラメータを指し、ＵＥ固有ＳＲＳ構成は、概して、（たとえば、セル固有ＳＲＳ送信インスタンス内で）特定のＵＥがＳＲＳを送信し得るＵＥ固有ＳＲＳ帯域幅およびサブフレームなどのＵＥ固有ＳＲＳパラメータを指す。したがって、セル固有ＳＲＳパラメータは、システム情報としてブロードキャストされ得、ＵＥ固有ＳＲＳパラメータは、特定のＵＥへの専用ＲＲＣシグナリングによってシグナリングされ得る。セル固有ＳＲＳ帯域幅は、概して、ＰＵＣＣＨ領域を除くアップリンクシステム帯域幅の大部分をカバーする。いくつかの態様では、セル固有ＳＲＳ帯域幅の全体または一部分を循環的にサウンディングすることによって、ＳＲＳホッピングが可能にされ得る。
【００４９】
[0059]周期的ＳＲＳ（periodic SRS）と非周期的ＳＲＳ（aperiodic SRS）の両方がＲｅｌ−１０においてサポートされる。周期的ＳＲＳは、構成されると、少なくともＲＲＣによって構成解除（deconfigured）されるまで、無限の持続時間を生じ得る。周期的ＳＲＳ構成は、ＵＥ固有周期的ＳＲＳサブフレーム（すなわち、セル固有ＳＲＳサブフレームのサブセット）中で送信され得る。非周期的ＳＲＳは、ＰＤＣＣＨ送信（たとえば、ＵＬ許可のためのＰＤＣＣＨ、フォーマット０（１ビット）および４（２ビット）；ＤＬ許可のためのＰＤＣＣＨ、フォーマット１Ａ／２Ｂ／２Ｃ）によってトリガされ得、トリガされると１回限りの持続時間（one-shot duration）になり得る。非周期的ＳＲＳ構成は、ＵＥ固有非周期的ＳＲＳサブフレーム（すなわち、セル固有ＳＲＳサブフレームのサブセット）中で送信され得る。
【００５０】
[0060]ＵＬにおけるシングルキャリア波形をサポートするために、および１つのサブフレームにおいて２つ以上のＵＬチャネル／信号を送信することが可能になるように、短縮ＰＵＣＣＨフォーマットが（たとえば、セルごとに）構成され得る。サブフレームの第２のスロットでは、すべてのシンボルを利用する代わりに、最後のシンボルがＰＵＣＣＨによって使用され得ず（すなわち、短縮ＰＵＣＣＨ）、サブフレームの最後のシンボル中でのＳＲＳ送信を可能にする。短縮ＰＵＣＣＨフォーマットは、（たとえば、ＳＲ／ＡＣＫ／ＮＡＫを搬送する）ＰＵＣＣＨフォーマット１／１ａ／１ｂ、および（たとえば、Ｒｅｌ−１０においてＳＲ／ＡＣＫ／ＮＡＫ、およびＲｅｌ−１１においてＣＳＩを搬送する）ＰＵＣＣＨフォーマット３にのみ適用可能であり得る。短縮ＰＵＣＣＨは、（たとえば、ＡＣＫ／ＮＡＫおよびＣＳＩを搬送する）ＰＵＣＣＨフォーマット２／２ａ／２ｂについてはサポートされない。
【００５１】
[0061]いくつかの態様では、ＵＥは、パラメータ（たとえば、ackNackSRS-SimultaneousTransmission）の受信時に、短縮ＰＵＣＣＨフォーマットが使用可能であるか否かを通知され得る。短縮ＰＵＣＣＨフォーマットが使用可能でない場合、通常ＰＵＣＣＨフォーマットが使用され（それにより、ＰＵＣＣＨは第２のスロット中のすべてのシンボルを利用する）、ＳＲＳが同じＵＥからのＰＵＣＣＨ送信と衝突する場合、ＳＲＳはドロップされ得る。短縮ＰＵＣＣＨフォーマットが使用可能である場合、セル固有ＳＲＳサブフレームにおいて、ＵＥは、短縮ＰＵＣＣＨフォーマットを使用してＨＡＲＱ−ＡＣＫおよびＳＲなどのアップリンク制御情報を送信し得る。（たとえば、同じＲＢを使用するＵＥ間の直交ＰＵＣＣＨを保証するために）ＵＥがセル固有ＳＲＳサブフレーム中でＳＲＳを送信しない場合でも、この短縮ＰＵＣＣＨフォーマットはそのセル固有ＳＲＳサブフレームにおいて使用され得る。
【００５２】
[0062]ＵＬにおけるシングルキャリア波形をサポートするために、ＰＵＳＣＨは、いくつかのサブフレームにおいて最後のシンボルの周りでレートマッチングし得る。ＵＥ固有非周期的ＳＲＳサブフレームでは、非周期的ＳＲＳが送信されない場合でも、ＵＥのためのＰＵＳＣＨが、常に、最後のシンボルの周りでレートマッチングされ得る。ＵＥ固有周期的ＳＲＳサブフレームでは、少なくとも、ＵＥが同じサブフレーム中で周期的ＳＲＳをも送信するか、またはＵＥは同じサブフレーム中で周期的ＳＲＳを送信しないが、ＰＵＳＣＨがセル固有ＳＲＳ帯域幅とオーバーラップするリソースを有する場合、ＵＥのためのＰＵＳＣＨが最後のシンボルの周りでレートマッチングされ得る。
【００５３】
[0063]ＣｏＭＰ動作の場合、（１つまたは複数の）仮想セルＩＤがＰＵＳＣＨ、ＰＵＣＣＨおよび／またはＳＲＳのために導入され得る。言い換えれば、仮想セルＩＤは、ＣｏＭＰ動作に関与するセルのクラスタに関連し得る。いくつかの態様では、ＵＬチャネルは、１つまたは複数の仮想セルＩＤに関連付けられるように構成され得る。仮想セルＩＤの数および／または仮想セルＩＤの値は、チャネルにわたって変化し得る。チャネル内でさえ、仮想セルＩＤの数および仮想セルＩＤの値は、異なるフォーマットにわたって変化し得る（たとえば、ＰＵＣＣＨの場合、ＰＵＣＣＨフォーマット１／１ａ／１ｂ、ＰＵＣＣＨフォーマット２／２ａ／２ｂ、およびＰＵＣＣＨフォーマット３にわたって変化し得る）。
【００５４】
[0064]従来、サブフレームの最後のシンボルがＰＵＣＣＨまたはＰＵＳＣＨのために使用されるかどうかの決定は、セル固有ＳＲＳ構成とＵＥ固有ＳＲＳ構成とに部分的に基づいて決定される。考慮に入れられ得る他のファクタには、概して、同じサブフレーム中での送信によるＵＬ信号／チャネル、および短縮フォーマットが構成されるか否かが含まれる。１つまたは複数の仮想セルＩＤ（すなわち、ＣｏＭＰ動作）に関連付けられたＵＬチャネル／信号に関して、ＵＥがＰＵＣＣＨまたはＰＵＳＣＨのための最後のシンボルの利用可能性を決定するための技法が必要とされる。
【００５５】
[0065]図１０に、本開示のいくつかの態様による、ＣｏＭＰ動作をサポートしながら、アップリンクチャネルとのＳＲＳのインタラクションを容易にするための例示的な動作１０００を示す。動作１０００は、たとえば、ＵＥによって実行され得る。
【００５６】
[0066]１００２において、ＵＥは、ＵＥを用いたＣｏＭＰ動作に参加している１つまたは複数のノードから、セル固有ＳＲＳ構成またはアップリンクチャネルのためのフォーマットのうちの少なくとも１つを示すシグナリング（たとえば、ＵＥ固有シグナリング）を受信する。いくつかの態様では、シグナリングは、アップリンク送信のために定義された仮想セル識別情報に基づいて導出され得る。いくつかの態様では、セル固有ＳＲＳ構成は、概して、ＣｏＭＰ動作に参加しているノードのセル固有ＳＲＳ構成の合併（union）を含む。
【００５７】
[0067]１００４において、ＵＥは、少なくとも部分的にシグナリングに基づいて、サブフレームの少なくとも１つの最後のシンボルがＵＥからアップリンクチャネルのうちの１つまたは複数を送信するために利用可能であるかどうかを決定する。いくつかの態様では、決定することは、さらに、ＵＥ固有ＳＲＳ構成または他のアップリンクチャネルの存在に少なくとも部分的に基づき得る。いくつかの態様では、シグナリングは、短縮ＰＵＣＣＨフォーマットが使用されるべきであるか否かを示し、ＵＥは、アップリンクチャネルのうちの１つまたは複数が短縮される場合、サブフレームの最後のシンボルがアップリンクチャネルのうちの１つまたは複数を送信するために利用可能でないと決定し得る。したがって、ＵＥは、サブフレームの最後のシンボルがＳＲＳを送信するために利用可能であると決定し得る。
【００５８】
[0068]いくつかの態様では、ＵＥは、第１のＳＲＳ構成に基づいて、サブフレームの最後のシンボルがＰＵＳＣＨを送信するために利用可能であるかどうかを決定し、第２のＳＲＳ構成に基づいて、サブフレームの最後のシンボルがＰＵＣＣＨを送信するために利用可能であるかどうかを決定し得る。
【００５９】
[0069]いくつかの態様では、少なくとも２つの構成があり得る。少なくとも２つの構成が時間的にオーバーラップする場合、ＵＥは、サブフレーム中での使用に関する優先度に基づいて選定された少なくとも２つの構成のうちの１つに少なくとも基づいて、サブフレームの少なくとも１つの最後のシンボルがＵＥからアップリンクチャネルのうちの１つまたは複数を送信するために利用可能であるかどうかを決定し得る。少なくとも２つの構成のうちの１つが、より小さい仮想セル識別情報をもつ構成、より大きいセル固有ＳＲＳサブフレーム周期性をもつ構成、より大きいセル固有ＳＲＳ帯域幅をもつ構成、または選定された構成に関連するアップリンクチャネルのうちの少なくとも１つに基づいて選定され得る。
【００６０】
[0070]図１１に、本開示のいくつかの態様による、ＣｏＭＰ動作のための例示的な動作１１００を示す。動作１１００は、たとえば、ＵＥを用いたＣｏＭＰ動作に他のノードとともに参加しているノードによって実行され得る。１１０２において、ノードは、セル固有ＳＲＳ構成またはアップリンクチャネルのためのフォーマットのうちの少なくとも１つを示すシグナリングをＵＥに送信する。１１０４において、ノードは、少なくともシグナリングに基づいて、ＵＥを用いたＣｏＭＰ動作に参加する。いくつかの態様では、ノードは、ＣｏＭＰ動作に参加しているＵＥとの送信を、ＣｏＭＰ動作に参加していない他のＵＥとの送信のために使用されるサブフレームとは異なるサブフレームにおいてアレンジし得る。
【００６１】
[0071]いくつかの態様では、ＵＥまたはＵＥのグループのためのＣｏＭＰ動作に関与するすべてのセルは、共通のセル固有ＳＲＳ構成と、パラメータackNackSRS-SimultaneousTransmissionの同じ値とを使用し得る。しかしながら、共通のセル固有ＳＲＳ構成を使用することにより、（非ＣｏＭＰ  ＵＥを含む）多くのＵＥのためのＰＵＳＣＨ／ＰＵＣＣＨ送信について最後のシンボルの不要な損失が生じ得る。言い換えれば、ＰＵＳＣＨ／ＰＵＳＣＨ送信についてＵＬリソースの損失になり得る。
【００６２】
[0072]いくつかの態様では、仮想セルＩＤがＵＬチャネル／信号のためにどのように構成されるかにかかわらず、ＵＥは、セル固有ＳＲＳ構成の単一のセットおよび／またはackNackSRS-SimultaneousTransmissionの単一のパラメータを利用し得る。セル固有ＳＲＳ構成の単一のセットは、暗黙的にシグナリングされるか、または明示的にシグナリングされ得る（たとえば、ＵＥ固有シグナリング）。たとえば、単一のセットは、ＰＵＳＣＨ／ＰＵＣＣＨ／ＳＲＳについて定義された１つの仮想セルＩＤに基づいて暗黙的に導出されるか、またはレガシーＰＤＣＣＨが利用可能である場合、ＰＤＣＣＨセルに基づいて暗黙的に導出され得る。
【００６３】
[0073]同様に、ackNackSRS-SimultaneousTransmissionの単一のパラメータは、（たとえば、ＵＥ固有の方法で）ＵＥに暗黙的にまたは明示的に示され得る。ＵＥは、依然として、ＵＥ固有ＳＲＳ構成の１つまたは複数のセットで構成され得る。単一のセットのセル固有ＳＲＳ構成および／または単一のパラメータのackNackSRS-SimultaneousTransmissionを利用して、ＵＥは、ＰＵＣＣＨ／ＰＵＳＣＨのための最後のシンボルの利用可能性を決定し得る。ＵＥ固有ＳＲＳ構成および他のＵＬチャネル／信号の存在／不在など、他のパラメータが考慮され得る。
【００６４】
[0074]複数のセルが、ＵＥを用いたＣｏＭＰ動作に関与し得るので、ＵＥは、同じセル固有ＳＲＳ構成および／またはackNackSRS-SimultaneousTransmissionの構成を使用し、これにより、（非ＣｏＭＰ  ＵＥを含む）多くのＵＥに関してＰＵＳＣＨ／ＰＵＣＣＨについての最後のシンボルの不要な損失が生じ得る。
【００６５】
[0075]ＣｏＭＰ動作に関与するセルが同じ構成を有しない場合でも、ＣｏＭＰ  ＵＥは、たとえば、各セルについてのセル固有ＳＲＳ構成のセットの合併（union）または共通部分（intersection）によって、セル固有ＳＲＳ構成の単一のセットおよび／またはパラメータackNackSRS-SimultaneousTransmissionを示され得る。その上、異なるＵＥ（たとえば、ＣｏＭＰ  ＵＥ対非ＣｏＭＰ  ＵＥ）は、サブフレームがセル固有ＳＲＳサブフレームであるかどうか、および／または短縮ＰＵＣＣＨフォーマットが構成されるか否かについて異なる理解を有し得るので、ｅＮＢは、ＵＥの間のＰＵＣＣＨの直交性を保証するように要求され得る。その結果、あるＵＥは標準ＰＵＣＣＨフォーマットを使用し、別のＵＥは同じサブフレームにおいて短縮ＰＵＣＣＨフォーマットを使用し得る。しかしながら、異なるサブフレームおよび／またはＲＢにおいて異なる理解のＵＥ（たとえば、ＣｏＭＰ  ＵＥ対非ＣｏＭＰ  ＵＥ）をアレンジすることによって、直交性は依然として達成され得る。
【００６６】
[0076]いくつかの態様では、ＵＥは、セル固有ＳＲＳ構成のマルチプルなセットおよび／またはマルチプルなパラメータackNackSRS-SimultaneousTransmissionを利用し得る。この状況は、ＵＬチャネル／信号に関して（同じＵＬチャネル信号についてであるか、異なるＵＬチャネル信号についてであるかにかかわらず）２つ以上の仮想セルＩＤが構成される場合、好ましいことがある。セル固有ＳＲＳ構成の２つ以上のセットは、すべてのＵＬチャネルに関するもの、または一部のＵＬチャネルに関するものあり得、あるいはＵＬチャネルの間で分割され得る（たとえば、１つのセットはＰＵＳＣＨに関するものであり、別のセットはＰＵＣＣＨに関するものである）。ＰＵＣＣＨまたはＰＵＳＣＨに関する最後のシンボルの利用可能性を決定するために、使用中の（１つまたは複数の）セル固有構成のセットに基づいてサブフレームごとに決定が行われ得る。
【００６７】
[0077]セル固有ＳＲＳ構成の２つ以上のセットが時間的にオーバーラップしない場合、サブフレームにおけるＰＵＣＣＨ／ＰＵＳＣＨのための最後のシンボルの利用可能性の決定は、サブフレームに対応するセル固有ＳＲＳ構成のセットおよび／または対応するパラメータackNackSRS-SimultaneousTransmissionに部分的に基づき得る。ackNackSRS-SimultaneousTransmissionパラメータとセル固有ＳＲＳ構成とのリンケージは、暗黙的にまたは明示的に示され得る。
【００６８】
[0078]しかしながら、セル固有ＳＲＳ構成の２つ以上のセットが時間的にオーバーラップすることがある。たとえば、セル固有ＳＲＳ構成の２つ以上のセットが、同じサブフレーム（たとえば、あらゆるフレームのサブフレーム２）において可能性のあるＳＲＳ送信のためにＳＲＳサブフレームを予約することがある。いくつかの態様では、オーバーラップするセル固有構成をもつサブフレームをどのように処理するかに関して、いくつかのルールに従う。たとえば、オーバーラップは、ＵＥ挙動が指定されないことがある誤った構成（misconfiguration）と見なされ得る。しかしながら、ｅＮＢは構成がオーバーラップしないことを保証し得る。別の例として、ＵＥは、サブフレームでの使用について何らかの優先度に基づいて１つのセットを選定し得る。たとえば、ＵＥは、最も小さい仮想セルＩＤをもつ構成、最も大きいセル固有ＳＲＳサブフレーム周期性をもつ構成、最も大きいセル固有ＳＲＳ帯域幅をもつ構成、またはセットがＰＵＣＣＨ送信についてのものであるのかＰＵＳＣＨ送信についてのものであるのかを選定し得る。別の例として、ＵＥは、サブフレームで使用するための２つ以上のセットを選定し得る。たとえば、あるセットがＰＵＣＣＨのために定義され、別のセットがＰＵＳＣＨのために定義される場合、決定は、ＰＵＣＣＨとＰＵＳＣＨとについて別々に行われ得る。
【００６９】
[0079]アップリンク制御情報（ＵＣＩ）がＰＵＳＣＨ送信にピギーバックされるときには、ＰＵＣＣＨ上でのＵＣＩ送信のために異なる仮想セルＩＤが構成される場合でも、ＰＵＳＣＨ送信のために使用される仮想セルＩＤは、ＰＵＳＣＨにピギーバックされたＵＣＩのためにも同様に使用され得る。
【００７０】
[0080]本明細書で説明する１つまたは複数の態様によれば、ＳＲＳ構成パラメータを選択すること、セル情報を評価すること、電力制御コマンドを発行することなどに関して推論（inferences）が行われ得ることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推測は、特定のコンテキストまたはアクションを識別するために採用され得、あるいは、たとえば、状態の確率分布を生成することができる。推論は、確率的、すなわち、データおよびイベントの考察に基づく当該の状態の確率分布の計算であり得る。推論は、事象および／またはデータのセットからより高いレベルの事象を構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７１】
[0081]開示したプロセスにおけるステップの特定の順序または階層は、例示的な手法の一例であることを理解されたい。設計上の選好に基づいて、プロセス中のステップの特定の順序または階層は再構成され得ることを理解されたい。添付の方法クレームは、様々なステップの要素を例示的な順序で提示したものであり、提示された特定の順序または階層に限定されるものではない。
【００７２】
[0082]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
以下に、出願当初の特許請求の範囲に記載された発明を付記する。
［Ｃ１］
ユーザ機器（ＵＥ）によるワイヤレス通信のための方法であって、
前記ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信することと、
少なくとも部分的に前記シグナリングに基づいて、サブフレームの少なくとも１つの最後のシンボルが前記ＵＥから前記アップリンクチャネルのうちの１つまたは複数を送信するために利用可能であるかどうかを決定することと
を備える、方法。
［Ｃ２］
前記シグナリングは、短縮物理アップリンク制御チャネル（ＰＵＣＣＨ）フォーマットが使用されるべきであるか否かを示す、上記Ｃ１に記載の方法。
［Ｃ３］
前記決定することは、
前記アップリンクチャネルのうちの前記１つまたは複数が短縮される場合、前記サブフレームの前記最後のシンボルが前記アップリンクチャネルのうちの前記１つまたは複数を送信するために利用可能でないと決定することを含む、上記Ｃ２に記載の方法。
［Ｃ４］
前記サブフレームの前記最後のシンボルがＳＲＳを送信するために利用可能であると決定することをさらに備える、上記Ｃ３に記載の方法。
［Ｃ５］
前記シグナリングがＵＥ固有シグナリングを含む、上記Ｃ１に記載の方法。
［Ｃ６］
前記シグナリングが、アップリンク送信のために定義された仮想セル識別情報に基づいて導出される、上記Ｃ１に記載の方法。
［Ｃ７］
前記決定することは、ＵＥ固有ＳＲＳ構成または他のアップリンクチャネルの存在に少なくとも部分的にさらに基づいて、前記サブフレームの前記最後のシンボルが前記アップリンクチャネルのうちの前記１つまたは複数を送信するために利用可能であると決定することを含む、上記Ｃ１に記載の方法。
［Ｃ８］
前記セル固有ＳＲＳ構成が、前記ＣｏＭＰ動作に参加している前記ノードのセル固有ＳＲＳ構成の合併を含む、上記Ｃ１に記載の方法。
［Ｃ９］
前記決定することは、
第１のＳＲＳ構成に基づいて、前記サブフレームの前記最後のシンボルが物理アップリンク共有チャネル（ＰＵＳＣＨ）を送信するために利用可能であるかどうかを決定することと、
第２のＳＲＳ構成に基づいて、前記サブフレームの前記最後のシンボルが物理アップリンク制御チャネル（ＰＵＣＣＨ）を送信するために利用可能であるかどうかを決定することと
を含む、上記Ｃ１に記載の方法。
［Ｃ１０］
前記構成が少なくとも２つの構成を含み、
前記少なくとも２つの構成が時間的にオーバーラップする場合、前記決定することが、前記サブフレームにおける使用についての優先度に基づいて選定された前記少なくとも２つの構成のうちの１つに少なくとも基づく、
上記Ｃ１に記載の方法。
［Ｃ１１］
前記少なくとも２つの構成のうちの前記１つが、より小さい仮想セル識別情報をもつ構成、より大きいセル固有サウンディング基準信号（ＳＲＳ）サブフレーム周期性をもつ構成、より大きいセル固有ＳＲＳ帯域幅をもつ構成、または前記選定された構成に関連するアップリンクチャネルのうちの少なくとも１つに基づいて選定される、上記Ｃ１０に記載の方法。
［Ｃ１２］
ユーザ機器（ＵＥ）によるワイヤレス通信のための装置であって、
前記ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信するための手段と、
少なくとも部分的に前記シグナリングに基づいて、サブフレームの少なくとも１つの最後のシンボルが前記ＵＥから前記アップリンクチャネルのうちの１つまたは複数を送信するために利用可能であるかどうかを決定するための手段と
を備える、装置。
［Ｃ１３］
前記シグナリングは、短縮物理アップリンク制御チャネル（ＰＵＣＣＨ）フォーマットが使用されるべきであるか否かを示す、上記Ｃ１２に記載の装置。
［Ｃ１４］
決定するための前記手段は、
前記アップリンクチャネルのうちの前記１つまたは複数が短縮される場合、前記サブフレームの前記最後のシンボルが前記アップリンクチャネルのうちの前記１つまたは複数を送信するために利用可能でないと決定するための手段
を含む、上記Ｃ１３に記載の装置。
［Ｃ１５］
前記サブフレームの前記最後のシンボルがＳＲＳを送信するために利用可能であると決定するための手段をさらに備える、上記Ｃ１４に記載の装置。
［Ｃ１６］
前記シグナリングがＵＥ固有シグナリングを含む、上記Ｃ１２に記載の装置。
［Ｃ１７］
前記シグナリングが、アップリンク送信のために定義された仮想セル識別情報に基づいて導出される、上記Ｃ１２に記載の装置。
［Ｃ１８］
決定するための前記手段は、ＵＥ固有ＳＲＳ構成または他のアップリンクチャネルの存在に少なくとも部分的にさらに基づいて、前記サブフレームの前記最後のシンボルが前記アップリンクチャネルのうちの前記１つまたは複数を送信するために利用可能であると決定するための手段を含む、上記Ｃ１２に記載の装置。
［Ｃ１９］
前記セル固有ＳＲＳ構成が、前記ＣｏＭＰ動作に参加している前記ノードのセル固有ＳＲＳ構成の合併を含む、上記Ｃ１２に記載の装置。
［Ｃ２０］
決定するための前記手段は、
第１のＳＲＳ構成に基づいて、前記サブフレームの前記最後のシンボルが物理アップリンク共有チャネル（ＰＵＳＣＨ）を送信するために利用可能であるかどうかを決定するための手段と、
第２のＳＲＳ構成に基づいて、前記サブフレームの前記最後のシンボルが物理アップリンク制御チャネル（ＰＵＣＣＨ）を送信するために利用可能であるかどうかを決定するための手段と
を備える、上記Ｃ１２に記載の装置。
［Ｃ２１］
前記構成が少なくとも２つの構成を含み、
前記少なくとも２つの構成が時間的にオーバーラップする場合、決定するための前記手段が、前記サブフレームにおける使用についての優先度に基づいて選定された前記少なくとも２つの構成のうちの１つに少なくとも基づく、
上記Ｃ１２に記載の装置。
［Ｃ２２］
前記少なくとも２つの構成のうちの前記１つが、より小さい仮想セル識別情報をもつ構成、より大きいセル固有サウンディング基準信号（ＳＲＳ）サブフレーム周期性をもつ構成、より大きいセル固有ＳＲＳ帯域幅をもつ構成、または前記選定された構成に関連するアップリンクチャネルのうちの少なくとも１つに基づいて選定される、上記Ｃ２１に記載の装置。
［Ｃ２３］
ユーザ機器（ＵＥ）によるワイヤレス通信のための装置であって、
前記ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信することと、
少なくとも部分的に前記シグナリングに基づいて、サブフレームの少なくとも１つの最後のシンボルが前記ＵＥから前記アップリンクチャネルのうちの１つまたは複数を送信するために利用可能であるかどうかを決定することと
を行うように構成された少なくとも１つのプロセッサと、
前記少なくとも１つのプロセッサに結合されたメモリと
を備える、装置。
［Ｃ２４］
ユーザ機器（ＵＥ）によるワイヤレス通信のためのコンピュータプログラム製品であって、
前記ＵＥを用いた多地点協調（ＣｏＭＰ）動作に参加している１つまたは複数のノードから、セル固有サウンディング基準信号（ＳＲＳ）構成またはアップリンクチャネルのためのフォーマットのうちの少なくとも１つを示すシグナリングを受信することと、
少なくとも部分的に前記シグナリングに基づいて、サブフレームの少なくとも１つの最後のシンボルが前記ＵＥから前記アップリンクチャネルのうちの１つまたは複数を送信するために利用可能であるかどうかを決定することと
を行うためのコードを有するコンピュータ可読媒体
を備える、コンピュータプログラム製品。
［Ｃ２５］
ユーザ機器（ＵＥ）を用いた多地点協調（ＣｏＭＰ）動作に他のノードとともに参加しているノードによるワイヤレス通信のための方法であって、
セル固有サウンディング基準信号（ＳＲＳ）構成またはアップリンクチャネルのためのフォーマットのうちの少なくとも１つを示すシグナリングを前記ＵＥに送信することと、
少なくとも前記シグナリングに基づいて、前記ＵＥを用いた前記ＣｏＭＰ動作に参加することと
を備える、方法。
［Ｃ２６］
前記シグナリングは、短縮物理アップリンク制御チャネル（ＰＵＣＣＨ）フォーマットが使用されるべきであるか否かを示す、上記Ｃ２５に記載の方法。
［Ｃ２７］
前記シグナリングがＵＥ固有シグナリングを含む、上記Ｃ２５に記載の方法。
［Ｃ２８］
前記信号が、アップリンク送信のために定義された仮想セル識別情報に基づいて導出される、上記Ｃ２５に記載の方法。
［Ｃ２９］
前記セル固有ＳＲＳ構成が、前記ＣｏＭＰ動作に参加しているノードのセル固有ＳＲＳ構成の合併を含む、上記Ｃ２５に記載の方法。
［Ｃ３０］
前記ＣｏＭＰ動作に参加している前記ＵＥとの送信を、前記ＣｏＭＰ動作に参加していない他のＵＥとの送信のために使用されるサブフレームとは異なるサブフレームにおいてアレンジすることをさらに備える、上記Ｃ２５に記載の方法。
［Ｃ３１］
ユーザ機器（ＵＥ）を用いた多地点協調（ＣｏＭＰ）動作に他のノードとともに参加しているノードによるワイヤレス通信のための装置であって、
セル固有サウンディング基準信号（ＳＲＳ）構成またはアップリンクチャネルのためのフォーマットのうちの少なくとも１つを示すシグナリングを前記ＵＥに送信するための手段と、
少なくとも前記シグナリングに基づいて、前記ＵＥを用いた前記ＣｏＭＰ動作に参加するための手段と
を備える、装置。
［Ｃ３２］
前記シグナリングは、短縮物理アップリンク制御チャネル（ＰＵＣＣＨ）フォーマットが使用されるべきであるか否かを示す、上記Ｃ３１に記載の装置。
［Ｃ３３］
前記シグナリングがＵＥ固有シグナリングを含む、上記Ｃ３１に記載の装置。
［Ｃ３４］
前記信号が、アップリンク送信のために定義された仮想セル識別情報に基づいて導出される、上記Ｃ３１に記載の装置。
［Ｃ３５］
前記セル固有ＳＲＳ構成が、前記ＣｏＭＰ動作に参加しているノードのセル固有ＳＲＳ構成の合併を含む、上記Ｃ３１に記載の装置。
［Ｃ３６］
前記ＣｏＭＰ動作に参加している前記ＵＥとの送信を、前記ＣｏＭＰ動作に参加していない他のＵＥとの送信のために使用されるサブフレームとは異なるサブフレームにおいてアレンジするための手段をさらに備える、上記Ｃ３１に記載の装置。
［Ｃ３７］
ユーザ機器（ＵＥ）を用いた多地点協調（ＣｏＭＰ）動作に他のノードとともに参加しているノードによるワイヤレス通信のための装置であって、
セル固有サウンディング基準信号（ＳＲＳ）構成またはアップリンクチャネルのためのフォーマットのうちの少なくとも１つを示すシグナリングを前記ＵＥに送信することと、
少なくとも前記シグナリングに基づいて、前記ＵＥを用いた前記ＣｏＭＰ動作に参加することと
を行うように構成された少なくとも１つのプロセッサと、
前記少なくとも１つのプロセッサに結合されたメモリと
を備える、装置。
［Ｃ３８］
ユーザ機器（ＵＥ）を用いた多地点協調（ＣｏＭＰ）動作に他のノードとともに参加しているノードによるワイヤレス通信のためのコンピュータプログラム製品であって、
セル固有サウンディング基準信号（ＳＲＳ）構成またはアップリンクチャネルのためのフォーマットのうちの少なくとも１つを示すシグナリングを前記ＵＥに送信することと、
少なくとも前記シグナリングに基づいて、前記ＵＥを用いた前記ＣｏＭＰ動作に参加することと
を行うためのコードを有するコンピュータ可読媒体
を備える、コンピュータプログラム製品。
【図１】
0006651354.tif 000002
【図２】
0006651354.tif 000003
【図３】
0006651354.tif 000004
【図４】
0006651354.tif 000005
【図５】
0006651354.tif 000006
【図６】
0006651354.tif 000007
【図７】
0006651354.tif 000008
【図８】
0006651354.tif 000009
【図９】
0006651354.tif 000010
【図１０】
0006651354.tif 000011
【図１１】
0006651354.tif 000012